(57)【特許請求の範囲】
【請求項１】
複数の塗布体分割体からなり、その表面に形成されるブラシと軸部とから構成されるものであって、
該塗布体分割体は、表面の一部に複数の突起からなるブラシ部を形成するとともに、該塗布体分割体において、一つには凹陥溝を、他の一つには前記凹陥溝に合致する突条部を長手方向に形成するように成形し、  
複数の該塗布体分割体を、塗布体分割体の凹陥溝と突条部とを嵌合させることで一体として、軸部とともに、その表面に塗布体分割体のブラシ部よりなるブラシを形成する化粧料塗布体としてなる
ことを特徴とする化粧料塗布体の製造方法。
【請求項２】
上記複数の塗布体分割体において、
一方の塗布体分割体は、軸部とともに、表面の一部に複数の突起からなるブラシ部とともに長手方向に凹陥溝を形成するように略柱状に成形し、
他方の塗布体分割体は、表面の一部に複数の突起からなるブラシ部及び開口部とともに長手方向に前記凹陥溝に合致する突条部を形成するように略円筒状に成形し、
一方の塗布体分割体を他方の塗布体分割体内に挿嵌し、一方の塗布体分割体の凹陥溝と他方の塗布体分割体の突条部とを嵌合させることで一体とし、軸部とともに、その表面に塗布体分割体のブラシ部よりなるブラシを形成する化粧料塗布体としてなる
ことを特徴とする請求項１記載の化粧料塗布体の製造方法。
【請求項３】
上記複数の塗布体分割体において、
一方の塗布体分割体は、軸部とともに、表面の一部に複数の突起からなるブラシ部とともに長手方向に凹陥溝を形成するように略柱状に成形し、
他方の塗布体分割体は、表面の一部に複数の突起からなるブラシ部を形成する塗布体分割体片をヒンジ部を中心に連結して成形された平面状の成形体を折曲して表面の一部に複数の突起からなるブラシ部、開口部、及び長手方向に前記凹陥溝に合致する突条部を形成するように略円筒状とし、
一方の塗布体分割体を他方の塗布体分割体内に挿嵌し、一方の塗布体分割体の凹陥溝と他方の塗布体分割体の突条部とを嵌合させることで一体とし、軸部とともに、その表面に塗布体分割体のブラシ部よりなるブラシを形成する化粧料塗布体としてなる
ことを特徴とする請求項１記載の化粧料塗布体の製造方法。
【請求項４】
上記複数の塗布体分割体において、
少なくとも一以上の塗布体分割体が残りの塗布体分割体に対して、又はすべての塗布体分割体が互いに、形状、材質、硬度、又は色調を相違させてなる
ことを特徴とする請求項１乃至３のうちいずれか一つの請求項記載の化粧料塗布体の製造方法。
【発明の詳細な説明】
【技術分野】
【０００１】
本願発明は、液体化粧料、例えばマスカラを塗布する化粧料塗布体の製造方法に関する。
【背景技術】
【０００２】
例えば、マスカラを塗布する化粧料塗布体には、長い柔軟なプラスチック製の芯と、該芯から放射状に伸びるプラスチック製の毛を備えているブラシとから構成するものがある。
そして、該化粧料塗布体は、金型を用いて射出成形によって芯とブラシとを一体に成形するものである（特許文献１参照）。
【０００３】
そのため、上記化粧料塗布体を構成するブラシの毛の一部を他の部分と異なる形状の毛にしようとすると、ブラシをなす複数の毛の組み合わせに応じて、一体成形する金型を多量に必要とするものである。
【０００４】
また、ブラシをなす毛が複雑な形状であると、一体成形後に金型から化粧料塗布体を取り出すにあたり、ブラシをなす毛の破損に注意しなければならず、毛の形状自体も金型から取り出し易い形状とする必要があり、その結果デザイン上の制限が生じてしまうものである。
【０００５】
そこで、一体成形後に化粧料塗布体を金型から取り出すにあたり、ブラシをなす毛を破損することがないように、成形に用いる金型を円周方向における複数の型割り構造とすることも行われている。
【０００６】
しかしながら、成形に用いる金型を円周方向における複数の型割り構造とすると、該金型は複雑、且つ精密としなければならず、金型の製造コストが上昇するばかりでなく、金型の取り扱い及び維持には慎重さが必要となって化粧料塗布体の製造作業は作業効率が低下してしまうものである。
【先行技術文献】
【特許文献】
【０００７】
【特許文献１】特開２００８−１８２４５号公報
【発明の概要】
【発明が解決しようとする課題】
【０００８】
解決しようとする問題点は、たとえ複雑な形状の毛や部分的に形状、材質、硬度、色調
等（以下、「形状等」という。）が相違する毛からなるブラシを表面に形成する化粧料塗
布体を安価、且つ容易に製造することができない点である。
【課題を解決するための手段】
【０００９】
第１の特徴として、
複数の塗布体分割体からなり、その表面に形成されるブラシと軸部とから構成されるものであって、
該塗布体分割体は、表面の一部に複数の突起からなるブラシ部を形成するとともに、該塗布体分割体において、一つには凹陥溝を、他の一つには前記凹陥溝に合致する突条部を長手方向に形成するように成形し、
複数の該塗布体分割体を、塗布体分割体の凹陥溝と突条部とを嵌合させることで一体として、軸部とともに、その表面に塗布体分割体のブラシ部よりなるブラシを形成する化粧料塗布体としてなるものである。
【００１０】
そのため、複数の塗布体分割体を一体とするだけなので、該塗布体分割体のブラシ部よりなるブラシを表面に形成する化粧料塗布体を安価、且つ容易に製造することができる。
【００１１】
さらに、一体とする複数の塗布体分割体の表面の一部にブラシ部として成形される複数の突起の形状等を互いに相違するものとすると、一つの化粧料塗布体の表面に形成されるブラシは、互いに形状等が相違するブラシ部からなるブラシとなるものである。その結果、様々な状況に対応できるように多種類の化粧料塗布体をも安価、且つ容易に製造することができるものとなる。
【００１２】
その上、化粧料塗布体となる塗布体分割体は各々別個に成形されているので、該塗布体分割体を成形する金型は単純化され、さらに金型の取り扱いや維持は容易となる。その結果、化粧料塗布体の製造コストは削減されて、化粧料塗布体をより安価、且つ容易に製造することができるものとなる。
【００１３】
第１の特徴を踏まえて、第２の特徴として、
上記複数の塗布体分割体において、
一方の塗布体分割体は、軸部とともに、表面の一部に複数の突起からなるブラシ部とともに長手方向に凹陥溝を形成するように略柱状に成形し、
他方の塗布体分割体は、表面の一部に複数の突起からなるブラシ部及び開口部とともに長手方向に前記凹陥溝に合致する突条部を形成するように略円筒状に成形し、
一方の塗布体分割体を他方の塗布体分割体内に挿嵌し、一方の塗布体分割体の凹陥溝と他方の塗布体分割体の突条部とを嵌合させることで一体とし、軸部とともに、その表面に塗布体分割体のブラシ部よりなるブラシを形成する化粧料塗布体としてなるものである。
【００１４】
そのため、一方の塗布体分割体を他方の塗布体分割体に挿嵌だけで化粧料塗布体となるので、化粧料塗布体の製造作業における作業効率を高めて、化粧料塗布体の製造コストは削減されて、化粧料塗布体を安価、且つ簡易に製造することができるものである。
【００１５】
第１の特徴を踏まえて、第３の特徴として、
上記複数の塗布体分割体において、
一方の塗布体分割体は、軸部とともに、表面の一部に複数の突起からなるブラシ部とともに長手方向に凹陥溝を形成するように略柱状に成形し、
他方の塗布体分割体は、表面の一部に複数の突起からなるブラシ部を形成する塗布体分割体片をヒンジ部を中心に連結して成形された平面状の成形体を折曲して表面の一部に複数の突起からなるブラシ部、開口部、及び長手方向に前記凹陥溝に合致する突条部を形成するように略円筒状とし、
一方の塗布体分割体を他方の塗布体分割体内に挿嵌し、一方の塗布体分割体の凹陥溝と他方の塗布体分割体の突条部とを嵌合させることで一体とし、軸部とともに、その表面に塗布体分割体のブラシ部よりなるブラシを形成する化粧料塗布体としてなるものである。
【００１６】
そのため、他方の塗布体分割体は、その表面に形成されるブラシ部の複数の突起が一体成形であっては成形困難な複雑な形状であっても成形可能となるものである。その結果、一つのブラシの中に複数の種類のブラシ部を存在させることができるので、使用目的や用途に合わせて適切に使用することができる化粧料塗布体とすることができるものである。
【００１７】
第１の特徴乃至第３の特徴を踏まえて、第４の特徴として、
上記複数の塗布体分割体において、
少なくとも一以上の塗布体分割体が残りの塗布体分割体に対して、又はすべての塗布体分割体が互いに、形状、材質、硬度、又は色調を相違させてなるものである。
【００１８】
そのため、上記複数の塗布体分割体によって形成される塗布体のブラシ中には形状、材質、硬度又は色調のうち、少なくとも一つが相違するブラシ部が存在するものとなる。その結果、化粧料を塗布する場所の状態、化粧料を塗布する目的、化粧料を塗布する場所に対するブラシの塗布性に合わせて、使用者はブラシを形成するブラシ部の選択を適切に図ることができるものである。
【発明の効果】
【００１９】
本願発明は、表面の一部において複数の突起からなるブラシ部を形成する複数の塗布体分割体を一体として、その表面に複雑な形状である複数の突起のブラシ部よりなるブラシや、互いに形状等が相違する複数の突起のブラシ部よりなるブラシを形成する化粧料塗布体となるので、金型に要するコストの削減、及び化粧料塗布体の製造作業における作業効率の向上と合わせて、多種類の化粧料塗布体を安価、且つ簡易に製造することができる優れた効果を有するものである。
【図面の簡単な説明】
【００２０】
【図１】図１は、本願発明の実施例１である化粧料塗布体を具える化粧料容器の拡大断面図である。
【図２】図２（イ）は、本願発明の実施例１である化粧料塗布体を具えるキャップの正面図、（ロ）はそのＡ−Ａ断面図である。
【図３】図３は、本願発明の実施例１である化粧料塗布体の製造工程を示す模式図及びその要部Ｂ−Ｂ、Ｃ−Ｃ、Ｄ−Ｄ断面図である。
【図４】図４は、本願発明の実施例２である化粧料塗布体の製造工程を示す模式図及びその要部Ｅ−Ｅ、Ｆ−Ｆ、Ｇ−Ｇ断面図である。
【図５】図５は、本願発明の実施例３である化粧料塗布体の製造工程を示す模式図及びその要部Ｈ−Ｈ、Ｉ−Ｉ断面図である。
【発明を実施するための形態】
【００２１】
ブラシとなるブラシ部の複数の突起を複雑な形状とし、また一つのブラシの中に互いに形状等が相違する複数の突起のブラシ部よりなるブラシを表面に形成する化粧料塗布体を安価、且つ容易に製造できるように、化粧料塗布体を、その表面の一部に複数の突起からなるブラシ部を形成してなる複数の塗布体分割体を一体として製造することで実現した。
【実施例１】
【００２２】
図１において示すのは、本願発明の実施例１である化粧料塗布体１１を具える化粧料容器１である。該化粧料容器１は、その内部でマスカラ３を貯留するとともに、その開口部４では、後述するキャップ７に一体に固持される保持軸１０及び該保持軸１０先端の化粧料塗布体１１の表面に過剰に付着したマスカラ３を拭去するシゴキ５を内装し、その外周面に雄ネジ部６を螺設する化粧料容器本体２と、その開口部８の内周面に前記雄ネジ部６と螺合する雌ネジ部９を螺設するものであって、先端の保持孔１０ｂ内において実施例１の化粧料塗布体１１を保持する保持軸１０の根元部１０ａを固持してなるキャップ７とからなるものである。
【００２３】
ここで、上記化粧料塗布体１１は、二個の塗布体分割体１５、１８を一体として形成されるものであり、該化粧料塗布体１１の側面の三列の線状の突起よりなるブラシ部１３からなるブラシ１２と、該化粧料塗布体１１を保持軸１０に保持するために保持孔１０ｂ内に挿嵌される軸部１４とから構成されるものである（図１及び図３参照）。
【００２４】
そこで、本願発明の実施例１である化粧料塗布体１１は、次のようにして製造されるものである。
まず、二個の塗布体分割体１５、１８のうち、一方の塗布体分割体１５は、先端に係止突起１６を、後端には軸部１４を、対向する側面の一部には三列の線状の突起よりなるブラシ部１３、１３を、さらに該ブラシ部１３、１３が対向して配置される方向に対して直交する位置に凹陥溝１７を長手方向に形成するように略柱状に成形する〔図３（イ）参照〕。
また、他方の塗布体分割体１５は、先端及び後端には上記係止突起１６及び軸部１４が挿嵌される係止孔１９、対向する側面の一部には三列の線状の突起よりなるブラシ部１３、１３を、該ブラシ部１３、１３が対向して配置される方向に対して直交する位置に開口部２０、２０を、さらにその内部には前記凹陥溝１７に合致する突条部２１を長手方向に形成するように略円筒状に成形する〔図３（ロ）参照〕。
そして、一方の塗布体分割体１５を他方の塗布体分割体１８内に該他方の塗布体分割体１８の後端の係止孔１９より挿入することで、一方の塗布体分割体１５の凹陥溝１７と他方の塗布体分割体１８の突条部２１とを嵌合させるとともに、該一方の塗布体分割体１５先端の係止突起１６を他方の塗布体分割体１８前端の係止孔１９内に係止させることで互いに一体として化粧料塗布体１１とするものである〔図３（ハ）参照〕。
【００２５】
本願発明の実施例１である化粧料塗布体１１は以上のようにして製造されるので、ブラシ１２を形成する塗布体分割体１５、１８のブラシ部１３、１３をなす三列の線状の突起が複雑な形状であっても、安価、且つ容易に製造することができるものである。
【００２６】
そして、上記塗布体分割体１５、１８は各々別個に成形されるので、該塗布体分割体１５、１８を成形する金型は単純化し易くなり、さらに金型の取り扱いや維持は容易となる。その結果、化粧料塗布体１１の製造コストは削減され、安価、且つ容易に製造することができるものである。
【実施例２】
【００２７】
図４に示すのは、本願発明の実施例２の化粧料塗布体１１ａであり、二個の塗布体分割体１５ａ、１８ａを一体に形成する構成、及び一方の略柱状の塗布体分割体１５ａを他方の略円筒状の塗布体分割体１８ａに挿入し、凹陥溝１７と突条部２１との嵌合及び係止突起１６と係止孔１９との係止によって一体とする製造方法である実施例１の化粧料塗布体１１と共通するものである〔同図（ハ）参照〕。
【００２８】
しかしながら、本願発明の実施例２の化粧料塗布体１１ａは、一方の塗布体分割体１５ａの対向する側面の一部には長手方向へ複数並設される鋸歯状の突起のブラシ部１３ａ及び尖突状の突起のブラシ部１３ｂ〔同図（イ）参照〕、他方の塗布体分割体１８ａの対向する側面の一部には三列の線状の突起のブラシ部１３及び一列の線状の突起のブラシ部１３ｃからなるものであり〔同図（ロ）参照〕、すなわち化粧料塗布体１１ａの側面の一部に形成されるブラシ１２ａが互いに形状が相違するブラシ部１３、１３ａ、１３ｂ、１３ｃより形成されている点で、化粧料塗布体１１の側面の一部に形成されるブラシ１２が三列の線状の突起からなるブラシ部１３で形成されている、すなわち、化粧料塗布体１１の側面の一部に形成されるブラシ１２がすべて同形状の複数の突起であるブラシ部１３よりなる本願発明の実施例１の化粧料塗布体１１の構成とは相違するものである。
【００２９】
本願発明の実施例２の化粧料塗布体１１ａは以上のような構成を具えるので、マスカラ３を塗布する際には、塗布目的や睫毛の状況に合わせてブラシ部１３、１３ａ、１３ｂ、１３ｃを使い分けることでより適切に塗布することができるものである。
【００３０】
また、本願発明の実施例２の化粧料塗布体は実施例１の化粧料塗布体１１と同様に製造されることから、互いに形状等が相違する突起よりなるブラシ部１３、１３ａ、１３ｂ、１３ｃからなるブラシ１２ａを表面に形成する化粧料塗布体１１ａであっても安価、且つ容易に製造することができるとともに、成形における金型を単純化して、該金型の製造、取り扱い及び維持を容易にできるので、化粧料塗布体１１ａの製造コストをさらに削減してより安価、且つ容易に製造することができるものである。
【実施例３】
【００３１】
図５に示すのは、本願発明の実施例３の化粧料塗布体１１ｂであり、二個の塗布体分割体１５、１８ｂを一体に形成する構成、及び一方の略柱状の塗布体分割体１５を他方の略円筒状の塗布体分割体１８ｂ内に挿入し、凹陥溝１７と突条部１９との嵌合及び係止突起１６と係止孔１９との係止によって一体とする製造方法である実施例１の化粧料塗布体１１と共通するものである〔同図（ハ）参照〕。
【００３２】
しかしながら、本願発明の実施例３の化粧料塗布体１１ｂでは、他方の塗布体分割体１８ｂは、先端及び後端には上記係止突起１５及び軸部１４が挿嵌する係止孔１９を、表面の一部には三列の線状の突起よりなるブラシ部１３、１３及び開口部２０となる切り欠き部２０ａを形成する塗布体分割体片１８ｂ’を係止孔１９を穿設するヒンジ部２２を中心に連結して成形された平面状の成形体Ａ〔同図（ロ）参照〕を折曲することで、対向する側面の一部には三列の線状の突起よりなるブラシ部１３、１３を、該ブラシ部１３、１３が対向して配置される方向に対して直交する位置に開口部２０を形成するように円筒状にしてなる点で、他方の塗布体分割体１８が、先端及び後端には上記係止突起１６及び軸部１４が挿嵌する係止孔１９を、対向する側面の一部には三列の線状の突起よりなるブラシ部１３、１３を、該ブラシ部１３、１３が対向して配置される方向に対して直交する位置に開口部２０を円筒状に当初より一体成形してなる実施例１の化粧料塗布体１１とは相違するものである。
【００３３】
そこで、上記本願発明の実施例３の化粧料塗布体１１ｂは、次のようにして製造されるものである。
まず、実施例１と同様に、二個の塗布体分割体１５、１８ｂのうち、一方の塗布体分割体１５は、先端に係止突起１６を、後端には軸部１４を、対向する側面の一部には三列の線状の突起よりなるブラシ部１３、１３を、さらに該ブラシ部１３、１３が対向して配置される方向に対して直交する位置に凹陥溝１７を長手方向に形成するように略柱状に成形する〔同図（イ）参照〕。
また、他方の塗布体分割体１８ｂは、先端及び後端には上記係止突起１６及び軸部１４が挿嵌される係止孔１９を、表面の一部には三列の線状の突起よりなるブラシ部１３及び一体となって開口部２０となる切り欠き部２０ａを形成する塗布体分割体片１８ｂ’を係止孔１９を穿設するヒンジ部２２を中心に連結して成形された平面状の成形体Ａを折曲することで、対向する側面の一部には三列の線状の突起よりなるブラシ部１３、１３を、該ブラシ部１３、１３が対向して配置される方向に対して直交する位置に開口部２０を、さらにその内部には前記凹陥溝１７に合致する突条部２１を長手方向に形成するように略円筒状に成形する。
そして、実施例１と同様に、一方の塗布体分割体１５を他方の塗布体分割体１８ｂ内に該他方の塗布体分割体１８ｂの後端の係止孔１９より挿入することで、一方の塗布体分割体１５の凹陥溝１７と他方の塗布体分割体１８ｂの突条部２１とを嵌合させるとともに、該一方の塗布体分割体１５先端の係止突起１６を他方の塗布体分割体１８ｂ前端の係止孔１９内に係止させることで互いに一体として化粧料塗布体１１ｂとするものである。
【００３４】
本願発明の実施例３である化粧料塗布体１１ｂは以上のようにして製造されるので、ブラシ１２ｂをなす塗布体分割体１５をなす三列の線状の突起のブラシ部１３、１３が複雑な形状であっても、安価、且つ容易に製造することができるものである。
【００３５】
そして、上記塗布体分割体１５、１８ｂは各々別個に成形されるので、該塗布体分割体１５、１８ｂを成形する金型は単純化し易くなり、さらに金型の取り扱いや維持は容易となる。その結果、化粧料塗布体１１ｂの製造コストは削減され、安価、且つ容易に製造することができるものである。
【００３６】
その上、化粧料塗布体１１ｂを構成する塗布体分割体１５、１８ｂのうち、他方の塗布体分割体１８ｂは表面の一部に、塗布体分割体片１８ｂ’を係止孔１９を穿設するヒンジ部２２を中心に連結して成形された平面状の成形体Ａを折曲してブラシ部１３及び開口部２０を形成するように略円筒状に形成するので、該他方の塗布体分割体１８ｂにおいてブラシ部１３となる複数の突起が一体成形であっては成形困難な複雑な形状であっても容易に成形することができ、ブラシ部１３の組み合わせを増加させて、多種類の化粧料塗布体１１ｂを製造することもできるようになる。
【産業上の利用可能性】
【００３７】
本願発明の化粧料塗布体は複数の種類の形状等が相違するブラシを有するものとすることができるので、マスカラ等の液体化粧料のみならず接着剤や染毛剤等を塗布する塗布体に適用することができる。
【符号の説明】
【００３８】
１    化粧料容器
２    化粧料容器本体
３    マスカラ
４    開口部
５    シゴキ
６    雄ネジ部
７    キャップ
８    開口部
９    雌ネジ部
１０    保持軸
１０ａ    根元部
１０ｂ    保持孔
１１、１１ａ、１１ｂ    化粧料塗布体
１２、１２ａ、１２ｂ    ブラシ
１３、１３ａ、１３ｂ    ブラシ部
１４、１４ａ    軸部
１５、１５ａ    塗布体分割体
１６、１６ａ    係止突起
１７    凹陥溝
１８、１８ａ、１８ｂ    塗布体分割体
１８ｂ’    塗布体分割体片
２０    開口部
２０ａ    切り欠き部
２１    突条部
２２    ヒンジ部
Ａ    成形体
【図１】
0005945884.tif 000002
【図２】
0005945884.tif 000003
【図３】
0005945884.tif 000004
【図４】
0005945884.tif 000005
【図５】
0005945884.tif 000006